(57)【要約】【課題】ペットの排泄物の広がりを抑制し、複数回の排泄行為に耐えられるペット用吸収性シートを提供する。【解決手段】ペット用吸収性シート１０は、表面側に配置される表面シート１２と、裏面側に配置される裏面シート１４と、表面シート１２と裏面シート１４との間に設けられた吸収体２０と、を有する。少なくとも吸収体２０に凹部５０が形成されている。凹部５０は、連続的又は断続的なラインＩＬを構成している。このラインＩＬは、分岐しない曲部を有する。【選択図】図３
2019000091.tif 000002
【特許請求の範囲】
【請求項１】
表面側に配置される表面シートと、
裏面側に配置される裏面シートと、
前記表面シートと前記裏面シートとの間に設けられた吸収体と、を有し、
少なくとも前記吸収体に凹部が形成されており、
前記凹部は、連続的又は断続的なラインを構成しており、
前記ラインは、分岐しない曲部を有する、ペット用吸収性シート。
【請求項２】
前記ラインのうち、前記表面シートの中心から外側に延びる放射方向に沿う部分は、前記放射方向に交差する方向に沿う成分を有するように曲げられている、請求項１に記載のペット用吸収性シート。
【請求項３】
前記凹部は、断続的なラインを形成している、請求項１又は２に記載のペット用吸収性シート。
【請求項４】
異なる深さを有する前記凹部が前記ラインに沿って並んでいる、請求項１から３のいずれか１項に記載のペット用吸収性シート。
【請求項５】
前記ラインは、互いに分離した複数の図形を形成している、請求項１から４のいずれか１項に記載のペット用吸収性シート。
【請求項６】
前記図形は、前記図形内の領域を実質的に又は完全に囲んでいる、請求項１から５のいずれか１項に記載のペット用吸収性シート。
【請求項７】
前記凹部は、表面側から裏面側へ凹む表面凹部を含む、請求項１から６のいずれか１項に記載のペット用吸収性シート。
【請求項８】
前記凹部は、裏面側から表面側へ凹む裏面凹部を含む、請求項１から６のいずれか１項に記載のペット用吸収性シート。
【請求項９】
前記凹部は、表面側から裏面側へ凹む表面凹部と、裏面側から表面側へ凹む裏面凹部と、を含み、
前記裏面凹部は、厚み方向において前記表面凹部と同じ位置に設けられている、請求項１から６のいずれか１項に記載のペット用吸収性シート。
【請求項１０】
前記裏面凹部の深さは、前記表面凹部の深さよりも浅い、請求項９に記載のペット用吸収性シート。
【請求項１１】
前記凹部は、前記吸収体を圧縮したエンボス部によって形成されている、請求項１から１０のいずれか１項に記載のペット用吸収性シート。
【請求項１２】
前記曲部は、前記ライン全体のうちの５０％以上を占めている、請求項１から１１のいずれか１項に記載のペット用吸収性シート。
【発明の詳細な説明】
【技術分野】
【０００１】
本発明は、ペットの排泄物、例えば尿を吸収するペット用吸収性シートに関する。
【背景技術】
【０００２】
ペットの排泄物、例えば尿を吸収するペット用吸収性シートが知られている（下記の特許文献１参照）。特許文献１に記載されたペット用吸収性シートは、液不透過性の裏面シートと、液透過性の表面シートと、裏面シートとシートとの間に位置する吸収体と、を有する。吸収体に、中央から縁部に放射状に形成された放射状凹部を有するエンボス加工部が形成されている。
【先行技術文献】
【特許文献】
【０００３】
【特許文献１】特開２０１１−２０５９７０号
【発明の概要】
【発明が解決しようとする課題】
【０００４】
特許文献１では、複数の放射状凹部が、ペット用吸収性シートの中心から放射方向に、連続的かつ直線的に延びている。したがって、ペットの排泄物、例えば尿のような液体は、放射状凹部を介してペット用吸収性シートの縁部に向かって直線的に最短距離で拡散する。したがって、排泄物は、ペットが排泄行為を行ったポイントから遠い位置まで拡散し易くなる。
【０００５】
このように、特許文献１は、ペット用吸収性シートの全体に排泄物を拡散させて、ペット用吸収性シートの全体で排泄物を吸収するというアイデアを開示する。しかしながら、例えば犬のようなペットは、排尿跡が見える場所に再び排泄をしないという習性を持っている。したがって、ペットの排泄物をペット用吸収性シートの全体にわたって広く拡散させると、ペットは、同じペット用吸収性シートを複数回使用しないことがある。そのため、ユーザは、ペットが一度排泄を行ったら、ペット用吸収性シートを交換する必要がある。
【０００６】
よって、ペットの排泄物の広がりを抑制し、ペットの複数回の排泄行為に耐えられるペット用吸収性シートが望まれる。
【課題を解決するための手段】
【０００７】
一態様に係るペット用吸収性シートは、表面側に配置される表面シートと、裏面側に配置される裏面シートと、前記表面シートと前記裏面シートとの間に設けられた吸収体と、を有し、少なくとも前記吸収体に凹部が形成されており、前記凹部は、連続的又は断続的なラインを構成しており、前記ラインは、分岐しない曲部を有する。
【発明の効果】
【０００８】
上記態様によれば、ペットの排泄物の広がりを抑制し、複数回の排泄行為に耐えられるペット用吸収性シートを提供することができる。
【図面の簡単な説明】
【０００９】
【図１】第１実施形態に係るペット用吸収性シートの平面図である。
【図２】図１に示すＡ−Ａ線に沿ったペット用吸収性シートの模式的断面図である。
【図３】ペット用吸収性シートに設けられた表面凹部のパターンの一例を説明する図である。
【図４】凹部のないペット用吸収性シートでの排泄物の広がりを説明する図である。
【図５】連続的な凹部を有するペット用吸収性シートでの排泄物の広がりを説明する図である。
【図６】断続的な凹部を有するペット用吸収性シートでの排泄物の広がりを説明する図である。
【図７】第２実施形態に係るペット用吸収性シートの平面図である。
【図８】第３実施形態に係るペット用吸収性シートの平面図である。
【発明を実施するための形態】
【００１０】
（１）実施形態の概要
本明細書及び添付図面の記載により、少なくとも以下の事項が明らかとなる。
【００１１】
一態様に係るペット用吸収性シートは、表面側に配置される表面シートと、裏面側に配置される裏面シートと、前記表面シートと前記裏面シートとの間に設けられた吸収体と、を有し、少なくとも前記吸収体に凹部が形成されており、前記凹部は、連続的又は断続的なラインを構成しており、前記ラインは、分岐しない曲部を有する。
【００１２】
ペットの排泄物、例えば尿は、凹部によって形成されたラインに沿って拡散し易い。本態様によれば、凹部によって形成されたラインは分岐しない曲部を有するため、排泄物は、ペットが排泄行為を行ったポイントから直線的に拡散するわけではなく、曲部のところで曲がりつつ拡散される。したがって、排泄物は、排泄行為を行ったポイントから端部に向かって直線的に広がるのではなく、曲部のぶんだけ曲げられる。これにより、排泄物が、排泄ポイントからより遠方まで達することを抑制し、複数回の排泄行為に耐えられるようにし易くなる。
【００１３】
好ましい一態様によれば、前記ラインのうち、前記表面シートの中心から外側に延びる放射方向に沿う部分は、前記放射方向に交差する方向に沿う成分を有するように曲げられている。
【００１４】
凹部により形成されたラインのうち放射方向に沿う部分が、放射方向に交差する方向に沿う成分を有するように曲げられているため、排泄物が、ペット用吸収性シートの縁部に向かって直線的に拡散することを抑制することができる。これにより、ペット用吸収性シートの縁部への排泄物の拡散を抑えることができる。
【００１５】
好ましい一態様によれば、前記凹部は、断続的なラインを形成している。凹部が断続的なラインを形成している、すなわち凹部が断続的に設けられているため、排泄物が凹部どうしの間を移動するために要する時間が増す。これにより、排泄物の拡散のスピードを適度に抑えることができ、排泄物の過度な拡散を抑制することができる。
【００１６】
好ましい一態様によれば、異なる深さを有する前記凹部が前記ラインに沿って並んでいる。これにより、排泄物が深い凹部から浅い凹部へ移動するために時間がかかることになる。したがって、凹部により形成されたラインに沿った排泄物の拡散のスピードを適度に抑えることができ、排泄物の過度な拡散を抑制することができる。
【００１７】
好ましい一態様によれば、前記ラインは、互いに分離した複数の図形を形成している。これにより、排泄物は、排泄行為が行われたポイント上、又はポイントに近い図形及びその付近の領域内で局所的に拡散することになり、排泄物の過度な拡散を抑制することができる。
【００１８】
好ましい一態様によれば、前記図形は、前記図形内の領域を実質的に又は完全に囲んでいる。これにより、排泄物は、排泄行為が行われたポイント上、又はポイントに近い図形を構成する表面凹部に到達すると、図形内の領域を実質的に又は完全に取り囲むラインに沿って拡散する。このように拡散した排泄物は、当該ラインから図形の内側の領域と外側の領域に徐々に拡散することになる。これにより、排泄物を、排泄行為が行われたポイント上、又はポイントに近い図形及びその付近の領域内で局所的に拡散し易くなり、排泄物の過度な拡散をより抑制することができる。
【００１９】
好ましい一態様によれば、前記凹部は、表面側から裏面側へ凹む表面凹部を含む。前述した凹部が、少なくとも吸収体の表面側から裏面側へ凹む表面凹部であるため、表面凹部は液体を一旦保持することができる。これにより、面方向への液体の拡散を抑えることができる。
【００２０】
好ましい一態様によれば、前記凹部は、裏面側から表面側へ凹む裏面凹部を含む。前述した凹部が、少なくとも吸収体の裏面側から表面側へ凹む裏面凹部であるため、裏面凹部が液溜まり部を構成し得る。これにより、吸収された液体の一部が吸収体から流れ出たとしても、裏面凹部で保持されることで面方向への液体の拡散を抑えることができる。
【００２１】
好ましい一態様によれば、前記凹部は、表面側から裏面側へ凹む表面凹部と、裏面側から表面側へ凹む裏面凹部と、を含み、前記裏面凹部は、厚み方向において前記表面凹部と同じ位置に設けられている。
【００２２】
排泄物は、表面凹部に沿って拡散し易いため、表面凹部のところから吸収体の内部に吸収され易い。表面凹部のところから吸収体に吸収された排泄物は、厚み方向において表面凹部と同じ位置に設けられた裏面凹部のところに保持され易い。これにより、表面凹部及び裏面凹部のところから外側への排泄物の過度な拡散を抑えることができる。
【００２３】
好ましい一態様によれば、前記裏面凹部の深さは、前記表面凹部の深さよりも浅い。裏面凹部のところに保持された排泄物は、毛細管現象により、吸収体と裏面シートとの間の境界を通って広く拡散することがある。本態様によれば、裏面凹部の深さを表面凹部の深さよりも浅くすることで、裏面凹部のところに保持される排泄物の量が過度に多くなることを抑制し、その結果、吸収体と裏面シートとの間の境界を通って広がる排泄物の量を抑えることができる。これにより、表面凹部及び裏面凹部のところから外側への排泄物の過度な拡散を抑えることができる。
【００２４】
好ましい一態様によれば、前記凹部は、前記吸収体を圧縮したエンボス部によって形成されている。凹部がエンボス部で形成されている場合、凹部のところの吸収体の密度は、そのまわりの密度よりも高くなっている。凹部のところで吸収体の密度が高いため、排泄物は、毛細管現象により凹部のところの吸収体に保持され易い。これにより、凹部のところから外側への排泄物の過度な拡散を抑えることができる。
【００２５】
好ましい一態様によれば、前記曲部は、前記ライン全体のうちの５０％以上を占めている。凹部により形成されたラインの大部分が曲部になるため、ペット用吸収性シート上の２点間を結ぶラインは、その最短距離（直線的な距離）よりも大幅に長くなる。したがって、排泄物が過度に広がることを抑制することができる。
【００２６】
（２）ペット用吸収性シートの構成
以下、図面を参照して、実施形態に係るペット用吸収性シートについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２７】
本明細書において、「ペット」は、脊椎動物や無脊椎動物を広く包含し、典型的には、猫、犬、ウサギ、ハムスターなどの愛玩動物を含む。
【００２８】
図１は、第１実施形態に係るペット用吸収性シートの平面図である。図２は、図１に示すＡ−Ａ線に沿ったペット用吸収性シートの模式的断面図である。ペット用吸収性シート１０は、概して平坦なシートである。ペット用吸収性シート１０の一方の面は、ペットの排泄物を受ける面であり、以下では「排泄面」とも称される。なお、図１は、排泄面側から見たペット用吸収性シートの平面図である。
【００２９】
ペット用吸収性シート１０は、表面側に配置される表面シート１２と、裏面側に配置される裏面シート１４と、吸収体２０と、を有する。吸収体２０は、表面シート１２と裏面シート１４との間に設けられている。
【００３０】
表面シート１２は、ペットの排泄物のような液体を透過する透液性シートであってよい。透液性シートは、例えば透液性を有する不織布、又は開口フィルムによって構成されていてよい。
【００３１】
裏面シート１４は、ペットの排泄物のような液体を透過しない不透液性シートであってよい。裏面シート１４は、特に制限されないが、例えば樹脂フィルムシートによって構成されていてよい。
【００３２】
本実施形態では、裏面シート１４の一部は表面シート１２よりも外側へ延びている。したがって、ペット用吸収性シート１０の外周部では、排泄面側から裏面シート１４が視認可能となっている。
【００３３】
吸収体２０は、吸収コア３０と、吸収コア３０を包むコアラップ３３と、を含んでいてよい。コアラップ３３は、吸収コア３０の排泄面側を覆うカバー層３４と、吸収コア３０の側面及び裏面を覆うラップ層３５と、を含んでいてよい。この場合、吸収コア３０は、カバー層３４とラップ層３５とによって包まれる。カバー層３４及びラップ層３５は、特に限定されないが、例えば透液性のティッシュから構成することができる。
【００３４】
吸収コア３０は、特に限定されないが、パルプのような親水性繊維層３１、及び高吸収性ポリマー（ＳＡＰ）３２、又はこれらの組合せを含んでいてよい。一例として、本実施形態では、親水性繊維層３１上に高吸収性ポリマー（ＳＡＰ）３２が設けられている。親水性繊維層３１は、不図示のティッシュ層によって包まれていてもよい。
【００３５】
ペット用吸収性シート１０は、表面シート１２側から裏面シート１４の方へ向かって凹む凹部５０を有する。以下、この凹部５０を便宜上「表面凹部５０」と称する。表面凹部５０は、少なくとも吸収体２０に形成されていてよい。
【００３６】
表面凹部５０は、吸収体２０上に少なくとも１つ設けられていてよい。本実施形態では、多数の点状の表面凹部５０が設けられている。これらの点状の表面凹部５０は、断続的なラインＩＬを構成するように並んでいてもよい。この代わりに、表面凹部５０は、連続的なラインＩＬを構成するように直線的又は曲線的に延びていてもよい。
【００３７】
表面凹部５０は、少なくとも吸収体２０を圧縮したエンボス部によって構成されていてよい。このエンボス部は、吸収体２０のみを圧縮することによって形成されていてもよく、吸収体２０と表面シート１２の両方を圧縮することによって形成されていてもよい。表面凹部５０がエンボス部により構成されている場合、表面凹部５０の位置における吸収体２０の密度は、表面凹部５０のまわりの吸収体２０の密度よりも高くなっている。
【００３８】
表面凹部５０がエンボス部で形成されている場合、表面凹部５０のところの吸収体２０の密度は、そのまわりの密度よりも高くなっている。排泄物は、表面凹部５０のところから吸収体２０の内部に吸収され易い。表面凹部５０のところで吸収体２０の密度が高いため、排泄物は、毛細管現象により表面凹部５０のところの吸収体に保持され易い。これにより、表面凹部５０のところから外側への排泄物の過度な拡散を抑えることができる。
【００３９】
代替的に、表面凹部５０は、少なくとも吸収体２０の目付を低くすることによって構成されていてもよい。この場合、表面凹部５０の位置における吸収体２０の目付は、表面凹部５０のまわりの吸収体２０の目付よりも低くなっていてよい。
【００４０】
ペット用吸収性シート１０は、機能性材料４０を有していてよい。機能性材料４０は、例えば薬剤を含んでいてよい。機能性材料４０は表面凹部５０の位置に設けられている。好ましくは、機能性材料４０は、表面凹部５０の位置で、表面シート１２よりも吸収体２０側に設けられている。本実施形態では、機能性材料４０は、一例として、表面凹部５０の位置で、吸収体２０を構成するカバー層３４上に設けられている。
【００４１】
表面凹部５０によって形成された連続的又は断続的なラインＩＬについて、図３も参照しつつ説明する。図３は、ペット用吸収性シートに設けられた表面凹部５０のパターンの一例を説明する。
【００４２】
表面凹部５０によって形成された連続的又は断続的なラインＩＬは、分岐しない曲部を有する。すなわち、ラインＩＬが曲がっている領域において、ラインＩＬが複数に分岐していない。「曲部」は、折れ曲がった部分であってもよく、滑らかに湾曲した部分であってもよい。もっとも、表面凹部５０によって形成されたラインは、分岐した曲部も含んでいてよい。
【００４３】
ここで、「連続的なライン」は、表面凹部５０が連続的に延びた溝であることを意味する。また、「断続的なライン」は、ユーザの視覚により「断続的なライン」と見做せる程度に近接した表面凹部５０を繋いだ仮想ラインによって規定される。具体的には、仮想ラインは、特定の表面凹部（例えば図３のＸ１）と当該特定の表面凹部Ｘ１に最も近い表面凹部との間の距離の１．５倍以下の距離だけ特定の表面凹部５０から離れた位置に存在する表面凹部５０と、当該特定の表面凹部５０と、を結ぶライン（図３のＬ１，Ｌ２）によって規定される。したがって、特定の表面凹部Ｘ１に最も近い表面凹部との間の距離の１．５倍よりも長い距離だけ離れた表面凹部５０どうしを結ぶライン（例えば図３のＬ３）は、断続的なラインＩＬ（仮想ライン）を構成しない。また、一例として、仮想ラインは、間隔が１ｃｍ以下、より好ましくは５ｍｍ以下の表面凹部５０どうしを繋いだラインによって規定してもよい。
【００４４】
次に、図４〜図６を参照し、ペット用吸収性シートにおける排泄物の広がり方について説明する。図４は、表面凹部を有さない比較例に係るペット用吸収性シートの一例を示す。図５は、連続的な表面凹部５０を有するペット用吸収性シートの一例を示す。図６は、断続的な表面凹部５０を有するペット用吸収性シートの一例を示す。
【００４５】
表面凹部を有さない比較例に係るペット用吸収性シートでは、尿のような排泄物は、排泄ポイントＰを中心に概ね円形に外側に向かって広がる（図４の領域Ｒ１参照）。一方、表面凹部５０を有するペット用吸収性シートでは、ペットの排泄物は、表面凹部５０によって形成されたラインＩＬに沿って拡散し易い。表面凹部５０によって形成されたラインＩＬは分岐しない曲部を有するため、排泄物は、特許文献１で示されたようにペットが排泄行為を行ったポイントＰから直線的に拡散するわけではなく、曲部のところで曲がりつつ拡散される。したがって、排泄物は、排泄行為を行ったポイントＰからシートの端部に向かって直線的に広がるのではなく、曲部のぶんだけ曲げられる（図５，６の領域Ｒ２，Ｒ３参照）。これにより、排泄物が、排泄ポイントＰからより遠方まで達することを抑制し、排泄物で汚染されない領域を残存させることができる。これにより、ペット用吸収性シートが複数回の排泄行為に耐えられるようになり易くなる。
【００４６】
また、好ましくは、表面凹部５０は、連続的なラインではなく、図６に示すように断続的なラインを形成している。表面凹部５０が断続的なラインを形成、すなわち断続的に設けられていると、排泄物が表面凹部５０どうしの間を移動するために要する時間が増す。これにより、排泄物の拡散のスピードを適度に抑えることができ、排泄物の過度な拡散をより抑制することができる（図６の領域Ｒ３参照）。
【００４７】
なお、表面凹部５０によって形成されたラインＩＬの曲部は、ラインＩＬ全体のうちの５０％以上を占めていることが好ましい。具体的には、表面凹部５０が連続的なラインを構成する場合、ラインＩＬ全体の長さに対する曲部の長さが５０％以上であればよい。表面凹部５０が断続的なラインを構成する場合、仮想ラインを構成するドットエンボスの総数に対する、仮想ラインの屈曲点に位置する点状の表面凹部５０の数の割合が、５０％以上であればよい。これにより、表面凹部５０により形成されたラインＩＬの大部分が曲部になるため、ペット用吸収性シート１０上の２点間を結ぶラインは、その最短距離（直線的な距離）よりも大幅に長くなる。したがって、排泄物が過度に広がることをより抑制することができる。
【００４８】
表面凹部５０が断続的なラインＩＬを構成する場合、異なる深さを有する表面凹部５１，５２がラインＩＬに沿って並んでいることがより好ましい。すなわち、表面凹部５０は、第１凹部５１と、第１凹部５１よりも浅い第２凹部５２と、を有していてよい。第１凹部５１と第２凹部５２は、ラインＩＬに沿って交互に並んでいてよい。
【００４９】
異なる深さを有する表面凹部５１，５２がラインＩＬに沿って並んでいることにより、排泄物が深い第１凹部５１から浅い第２凹部５２へ移動するために時間がかかることになる。したがって、表面凹部により形成されたラインＩＬに沿った排泄物の拡散のスピードを適度に抑えることができ、排泄物の過度な拡散をより抑制することができる。
【００５０】
再び、図３を参照しつつ、表面凹部５０のより好ましいパターンについて説明する。表面凹部５０によって形成されるラインＩＬのうち、表面シート１２の中心Ｏから外側に延びる放射方向Ｒに沿う部分（図３の符号Ｒｅの部分）は、放射方向Ｒに交差する方向に沿う成分を有するように曲げられていることが好ましい。これにより、排泄物は、ペット用吸収性シート１０の縁部に向かって放射方向に直線的に拡散することを抑制することができる。これにより、ペット用吸収性シート１０の縁部への排泄物の拡散を抑えることができる。
【００５１】
また、少なくとも吸収体２０に、裏面側から表面側へ凹む裏面凹部５４が形成されていてもよい。裏面凹部５４は、厚み方向において表面凹部５０と同じ位置に設けられていることが好ましい。排泄物は、吸収体２０の表面側で表面凹部５０に沿って拡散し易いため、表面凹部５０のところから吸収体２０の内部に吸収され易い。表面凹部５０のところから吸収体２０に吸収された排泄物は、厚み方向において表面凹部５０と同じ位置に設けられた裏面凹部５４のところに保持され易い。これにより、表面凹部５０及び裏面凹部５４のところから外側への排泄物の過度な拡散を抑えることができる。
【００５２】
さらに、裏面凹部５４の深さは、表面凹部５０の深さよりも浅いことが好ましい。裏面凹部５４のところに保持された排泄物は、毛細管現象により、吸収体２０と裏面シート１４との間の境界を通って広く拡散することがある。本態様によれば、裏面凹部５４の深さを表面凹部５０の深さよりも浅くすることで、裏面凹部５４のところに保持される排泄物の量が過度に多くなることを抑制し、その結果、吸収体２０と裏面シート５４との間の境界を通って広がる排泄物の量を抑えることができる。これにより、表面凹部５０及び裏面凹部５４のところから外側への排泄物の過度な拡散を抑えることができる。
【００５３】
次に、別の実施形態に係るペット用吸収性シートについて説明する。図７は、第２実施形態に係るペット用吸収性シートの平面図である。
【００５４】
図７では、表面凹部５０は、断続的なラインＩＬを形成しているが、この代わりに連続的なラインを構成していてもよい。本実施形態では、表面凹部５０により形成された複数のラインＩＬが、互いに交差している。すなわち、ラインＩＬは、複数の分岐点を有している。このように、表面凹部５０によって形成されたラインＩＬが分岐していたとしても、ラインＩＬが湾曲することによって、ラインＩＬは分岐しない曲部も備えている。
【００５５】
このような態様であっても、表面凹部５０によって形成されたラインＩＬの分岐しない曲部によって、排泄物の過度の拡散を抑制することができる。
【００５６】
次に、別の実施形態に係るペット用吸収性シートについて説明する。図８は、第３実施形態に係るペット用吸収性シートの平面図である。
【００５７】
図８では、表面凹部５０は、断続的なラインを形成しているが、この代わりに連続的なラインを構成していてもよい。本実施形態では、表面凹部５０により形成されたラインＩＬが、互いに分離した複数の図形６０を形成している。これにより、排泄物は、排泄行為が行われたポイント上、又はポイントに近い図形６０及びその近傍の領域内で局所的に拡散することになる。したがって、排泄物の過度な拡散をより抑制することができる。
【００５８】
表面凹部５０によって形成された図形６０は、図形６０内の領域を実質的に又は完全に囲んでいることが好ましい。ここで、「実質的に囲んでいる」とは、図形６０内のある点から見たときに、当該図形６０を構成するラインＩＬがすべての方向に存在することを意味する。例えば、渦巻き状の図形６０は、当該図形６０内の領域を実質的に囲んでいる。また、「完全に囲んでいる」とは、表面凹部５０によって形成されたラインＩＬが閉曲線を構成していることを意味する。例えば、円形、多角形又は星形の図形６０は、当該図形６０内の領域を完全に囲んでいる。
【００５９】
排泄物が、排泄行為が行われたポイント上、又はポイントに近い図形６０を構成する表面凹部に到達すると、排泄物は、主に、図形６０内の領域を実質的に又は完全に取り囲むラインＩＬに沿って拡散する。このように拡散した排泄物は、当該ラインＩＬから図形６０の内側の領域と外側の領域に徐々に拡散することになる。これにより、排泄物は、排泄行為が行われたポイント上、又はポイントに近い図形６０及びその近傍の領域内で局所的に拡散する。その結果、排泄物の過度な拡散をより抑制することができる。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００６１】
上記実施形態では、表面凹部５０が、連続的又は断続的なラインを構成する実施形態について詳細に説明した。しかしながら、この代わりに、裏面凹部５４が連続的又は断続的なラインを構成していてもよい。この場合、裏面凹部５４により構成される連続的又は断続的なラインは、前述したように、分岐しない曲部を有していてよい。すなわち、裏面凹部５４は、前述した実施形態で説明した表面凹部５０と同様に形成されていてよい。この場合であっても、排泄物が、排泄ポイントからより遠方まで達することを抑制し、複数回の排泄行為に耐えられるようにし易くすることが可能である。裏面凹部５４は、吸収体に吸収された後の排泄物の拡散防止に寄与し得る。
【符号の説明】
【００６２】
１０  ペット用吸収性シート
１２  表面シート
１４  裏面シート
２０  吸収体
３０  吸収コア
５０  表面凹部
５４  裏面凹部
ＩＬ  表面凹部により形成されたライン
【図１】
2019000091.tif 000003
【図２】
2019000091.tif 000004
【図３】
2019000091.tif 000005
【図４】
2019000091.tif 000006
【図５】
2019000091.tif 000007
【図６】
2019000091.tif 000008
【図７】
2019000091.tif 000009
【図８】
2019000091.tif 000010